(57)【要約】【課題】ヘルメットへの電子機器の着脱作業を簡単かつ迅速に行なうことができるようにするとともに、ヘルメットへ装着した電子機器と増幅器との間の電気的接続を簡単に行なうことができるヘルメットを提供する。【解決手段】電子機器６を装填可能に形成した電子機器収容室５と、この電子機器収容室５の開口部５１を塞ぐ蓋体１０とを設ける。電子機器収容室５には、増幅器３と電気的に接続されたピンプラグ７が配置され、電子機器６を電子機器収容室５へ装填し、蓋体１０を閉じた時に、ピンプラグ７へ電子機器６に露出させて設けた情報信号出力端子６３が接触し、電気的接続を保持するように構成する。【選択図】図１
2007254926.tif 000002
【特許請求の範囲】
【請求項１】
情報信号を増幅器で増幅し、その増幅された情報信号をスピーカへ供給するための電子機器を装着するヘルメットであって、
前記電子機器を装填可能に形成した電子機器収容室と、この電子機器収容室の開口部を塞ぐ蓋体とを設けるとともに、
前記電子機器収容室には、前記増幅器と電気的に接続された端子が配置され、前記電子機器を前記電子機器収容室へ装填した時に、前記電子機器に露出させて設けた出力端子が接触するように構成したことを特徴とするヘルメット。
【請求項２】
前記電子機器収容室の開口部と対向する底部に、前記増幅器と電気的に接続された端子を配置し、前記電子機器収容室の開口部から前記電子機器が装填された時に、前記電子機器の外装面に露出させて設けた出力端子が接触するように構成したことを特徴とする請求項１記載のヘルメット。
【請求項３】
前記電子機器を前記電子機器収容室へ装填し、かつ前記電子機器収容室の開口部を前記蓋体で塞いだ時に、前記増幅器と電気的に接続された端子と前記電子機器の外装面に露出させて設けた出力端子との接触を保持するように構成したことを特徴とする請求項１または請求項２記載のヘルメット。
【請求項４】
前記電子機器の外装面には、電子機器収容室への装填方向に沿って凸部または凹部を形成するとともに、前記電子機器収容室には、前記電子機器の装填時に、前記電子機器の外装面に形成した凸部または凹部と係合する凹部または凸部を形成し、前記電子機器の誤挿入を防止するように構成したことを特徴とする請求項１から請求項３のいずれか一項記載のヘルメット。
【請求項５】
種類の異なる電子機器の外装形状をそれぞれ前記電子機器収容室へ装填可能に形成し、種類の異なる電子機器のいずれかを選択して装填することができるように構成したことを特徴とする請求項１から請求項４のいずれか一項記載のヘルメット。
【請求項６】
前記増幅器を駆動するための電池を装填可能に形成した電池収容室を設けたことを特徴とする請求項１から請求項５のいずれか一項記載のヘルメット。
【請求項７】
前記増幅器を駆動するための電池を装填可能に形成した開口部を有する電池収容室を前記電子機器収容室の近傍に設け、前記電池収容室の開口部と前記電子機器の開口部を同じ蓋体で塞ぐように構成したことを特徴とする請求項１から請求項６のいずれか一項記載のヘルメット。
【請求項８】
前記電池収容室へ装填された電池は、前記電池収容室に配置された端子と前記蓋体の内面に配置された端子とに接触して、前記増幅器への電力の供給が行われるように構成したことを特徴とする請求項１から請求項７のいずれか一項記載のヘルメット。
【請求項９】
前記蓋体を防水構造としたことを特徴とする請求項１から請求項８のいずれか一項記載のヘルメット。
【発明の詳細な説明】
【技術分野】
【０００１】
本発明は、オートバイ乗車時に着用するオートバイ用ヘルメット、あるいは作業現場で着用する作業用ヘルメットなどのヘルメットに係り、特に、無線通話機能や音楽聴取機能などを備えたヘルメットに関する。
【背景技術】
【０００２】
従来、オートバイ乗車時に着用するヘルメットの内部に、無線通信機、マイクロホンおよびスピーカなどからなる無線通話機能を一体に組み込み、複数台のオートバイでツーリングを行なう場合に、ツーリング仲間同士が容易に連絡を取り合うことができるように構成したオートバイ用ヘルメットが提案されている（例えば、特許文献１参照）。
【０００３】
また、オートバイ乗車時に着用するヘルメットの内部に、ラジオカセット装置とスピーカなどからなる音響聴取機能を一体に組み込み、オートバイの運転者が走行中に安全に音楽等の情報が得られるように構成したヘルメットが提案されている（例えば、特許文献２参照）。
【０００４】
さらに、上述したような音響聴取機能を備えたヘルメットにおいて、携帯用オーディオ機器等の小型の電子機器をヘルメットへ着脱可能に収納できるように構成したものが提案されている（例えば、特許文献３参照）。
【０００５】
この小型の電子機器を着脱可能に構成したヘルメットは、次のように構成されている。まず、ヘルメットの後部に、小型の電子機器が収納できる扉付きの収納庫を備え、この扉付きの収納庫の内部は、収納スペースと接続端子を備えている。また、この接続端子は、ヘルメット後部に設置された増幅器を介して、ヘルメットの両耳部に設置されたスピーカと電気的に接続されている。さらに、収納庫は、外部からの衝撃から収納した電子機器を保護するための衝撃緩衝材が詰められ、また、扉は、雨水等が浸入しないような防水構造となっている。
【０００６】
【特許文献１】特開昭５１−５３９３５号公報
【特許文献２】実開昭５９−９５１２５号公報
【特許文献３】特開２００１−２５４２１８号公報
【発明の開示】
【発明が解決しようとする課題】
【０００７】
しかしながら、上述した小型の電子機器を着脱可能に構成したヘルメットでは、種類の異なる電子機器を着脱し、必要に応じて使い分ける場合、収納庫内に備えた接続端子をリード線ごと収納庫外に引き出し、他の電子機器に繋ぎ変えた後、再度、収納庫内へ電子機器を装着する作業を必要とし、取り扱い上きわめて不便であり、使いにくいという問題があった。
【０００８】
本発明は、このような従来の構成が有していた問題を解決しようとするものであり、ヘルメットへの電子機器の着脱作業を簡単かつ迅速に行なうことができるとともに、ヘルメットへ装着した電子機器と増幅器との間の電気的接続を簡単に行なうことが可能となり、また、その電気的接続状態を確実に保持することができるヘルメットを提供することを目的としている。
【０００９】
さらに、ヘルメットへ装着した電子機器を外部からの衝撃から保護するための衝撃緩衝材等を用いる必要がなく、電子機器を安全に収容することができるヘルメットを提供することを目的としている。
【課題を解決するための手段】
【００１０】
そして、本発明に係るヘルメットは、上記の目的を達成するために、情報信号を増幅器で増幅し、その増幅された情報信号をスピーカへ供給するための電子機器を装着するヘルメットであって、電子機器を装填可能に形成した電子機器収容室と、この電子機器収容室の開口部を塞ぐ蓋体とを設けるとともに、電子機器収容室には、増幅器と電気的に接続された端子が配置され、電子機器を電子機器収容室へ装填した時に、電子機器に露出させて設けた出力端子が接触するように構成したものである。
【００１１】
そして、また、この発明は、上記ヘルメットにおいて、以下の態様の発明をも提供するものである。
【００１２】
すなわち、上記電子機器収容室の開口部と対向する底部に、増幅器と電気的に接続された端子を配置し、電子機器収容室の開口部から電子機器が装填された時に、電子機器の外装面に露出させて設けた出力端子が接触するように構成したものである。
【００１３】
また、電子機器を電子機器収容室へ装填し、かつ電子機器収容室の開口部を蓋体で塞いだ時に、増幅器と電気的に接続された端子と電子機器の外装面に露出させて設けた出力端子との接触を保持するように構成したものである。
【００１４】
さらに、上記電子機器の外装面には、電子機器収容室への装填方向に沿って凸部または凹部を形成するとともに、電子機器収容室には、電子機器の装填時に、電子機器の外装面に形成した凸部または凹部と係合する凹部、または凸部を形成し、電子機器の誤挿入を防止するように構成したものである。
【００１５】
また、種類の異なる電子機器の外装形状をそれぞれ電子機器収容室へ装填可能に形成し、種類の異なる電子機器のいずれかを選択して装填することができるように構成したものである。
【００１６】
また、上記増幅器を駆動するための電池を装填可能に形成した電池収容室を設けたものである。
【００１７】
また、上記増幅器を駆動するための電池を装填可能に形成した開口部を有する電池収容室を電子機器収容室の近傍に設け、電池収容室の開口部と電子機器の開口部を同じ蓋体で塞ぐように構成したものである。
【００１８】
また、上記電池収容室へ装填された電池は、電池収容室に配置された端子と蓋体の内面に配置された端子とに接触して、増幅器への電力の供給が行われるように構成したものである。
【００１９】
さらに、上記蓋体を防水構造としたものである。
【発明の効果】
【００２０】
上述したように、本発明に係るヘルメットは、ヘルメットへの電子機器の着脱作業を簡単かつ迅速に行なうことができるとともに、ヘルメットへ装着した電子機器と増幅器との間の電気的接続を簡単に行なうことが可能となり、また、その電気的接続状態を確実に保持することができるヘルメットを提供できる。
【００２１】
さらに、ヘルメットへ装着した電子機器を外部からの衝撃から保護するための衝撃緩衝材等を用いる必要がなく、電子機器を安全に収容し、保持することができるという効果を発揮するものである。
【発明を実施するための最良の形態】
【００２２】
以下、本発明の実施の形態を図面を参照して説明する。
図１は、本発明に係るヘルメットの一実施例を示す斜視図、図２は、図１に示すヘルメットの背面側の要部を部分的に断面した斜視図である。
【００２３】
図１に示すように、ヘルメット本体１の背面側には、後方に向かって一体に膨出、または別部材を用いて一体に膨出させて形成した収容部２を設けている。この収容部２には、図２に示すように、増幅器３が内蔵されている。この内蔵された増幅器３の情報信号出力側は、ヘッドホン本体１を着用した時に耳が位置する部分に、それぞれ配置されたスピーカ４と電気的に接続されている。
【００２４】
また、収容部２の一側面２１には、開口部５１を有する筒状に形成した電子機器収容室５を設けている。この電子機器収容室５は、携帯用電話機、無線通信機、あるいは携帯用デジタルオーディオプレーヤなどの種類の異なる複数組用意された小型の電子機器６の内の一つを選択して開口部５１から装填し、収容することができるように構成されている。
【００２５】
上記電子機器６は、電子機器収容室５内へ装填可能な外装形状を有し、かつそれ自体で単独に駆動し得る電源を備え、電子機器収容室５から取り外した時、すなわち、ヘルメットから取り外した後も、その電子機器６が備えている機能を単独で使用することができるように構成されている装置である。
【００２６】
このように、ヘルメット本体１へ着脱可能に装着して使用する電子機器６が、例えば、携帯用デジタルオーディオプレーヤの場合は、ヘルメット本体１から取り外すと、メモリーオーディオ装置として使用することができ、家庭用のステレオ装置やパーソナルコンピュータから音楽等を録音し、そのままイヤホンを接続して音楽等を聴取することができるように構成されている。
【００２７】
また、図２に示すように、電子機器６の外装面６１には、電子機器収容室５への誤挿入を防止するための凸状部６２が形成されている。この凸状部６２は、電子機器６を電子機器収容室５へ装填する際に、電子機器収容室５の内壁面５２に形成した凹溝部５３へ係合させることによって、挿入時における電子機器６の位置出しと誤挿入を防止するように構成している。
【００２８】
さらに、図２に示すように、電子機器６の外装面６１には、露出させて配置した情報信号出力端子６３を設けている。この露出した情報信号出力端子６３は、電子機器収容室５へ電子機器６を装填した時に、その電子機器収容室５の底面５４に配置したピンプラグ７に接触するように構成されている。また、このピンプラグ７は、増幅器３の情報信号入力側と電気的に接続されている。
【００２９】
上記収容部２の一側面２１に設けた電子機器収容室５の近傍には、開口部８１を有する筒状の電池収容室８を併設している。この電池収容室８は、増幅器３を起動するための電池９を着脱可能に装填して使用するように構成されている。また、この電池収容室８の底部８２には、増幅器３へ給電するように接続された端子９１が配置されるとともに、もう一方の端子９２を後述する蓋体１０の内面側へ配置している。したがって、電池９を電池収容室８へ装填し、蓋体１０を閉じた状態では、電池９の両電極は、端子９１と端子９２に圧接され、電気的に接続された状態にある。
【００３０】
さらに、上記収容部２の一側面には、電子機器収容室５の開口部５１、および電池収容室８の開口部８１を塞ぐ蓋体１０が開閉自在に設けられている。この蓋体１０は、収容部２の一側面２１の上端縁部分に薄肉ヒンジ（図示しない）を介して一体に取り付けられている。したがって、この蓋体１０は、収容部２の一側面２１と重合して、開口部５１および開口部８１を覆う閉位置と、開口部５１および開口部８１を開放して露出させる開位置との間を回動するように構成されている。
【００３１】
また、この蓋体１０には、薄肉ヒンジを形成した上端縁部分とは反対側の下端縁部分に、フックと係合して蓋体１０を閉位置に保持するロック機構（図示しない）が設けられている。さらに、この蓋体１０の内面部分には、ゴムパッキン１１が周設され、防水構造を構成している。
【００３２】
以下に上記のように構成したヘルメットの一連の作動状態を述べる。
まず、電子機器６を電子機器収容室５へ装填するとともに、電池９を電池収容室８へ装填する。次に、蓋体１０を閉じることによって、電子機器６の外装面６１に露出させて設けた情報信号出力端子６３とピンプラグ７との圧接状態が保持され、電子機器６から増幅器３に対して情報信号が出力される。一方、電池９は、蓋体１０を閉じることによって、その電池９の両電極が端子９１と端子９２に圧接され、増幅器３への給電が実行される。
【００３３】
上記装填状態の電子機器６を電子機器収容室５から取り出す場合は、蓋体１０を開き、開口部５１を開放状態にして、その開口部５１に露出した電子機器６の先端部分を指先で持って電子機器収容室５から引き出すことにより、電子機器６を電子機器収容室５から容易に取り出すことができる。
【００３４】
一方、装填状態の電池９を電池収容室８から取り出す場合は、蓋体１０を開き、開口部８１を開放状態にして、電池９の先端部分を指先で持って電池収容室８から引き出すことによって、電池９を電池収容室８から容易に取り出すことができる。
【００３５】
上述したように、本発明に係るヘルメットは、ヘルメット本体１への電子機器６の着脱作業を簡単かつ迅速に行なうことができるとともに、ヘルメット本体１へ装着した電子機器６と増幅器３との間の電気的接続を簡単に行なうことが可能となり、また、その電気的接続状態を確実に保持することができる。
【００３６】
さらに、電子機器６を電子機器収容室５へ装填し、ガタ付くことなく確実に保持し収容することができるように構成したことによって、ヘルメット本体１へ装着した電子機器６を外部からの衝撃から保護するための衝撃緩衝材等を一切用いる必要がなく、電子機器６を安全に収容し、保持することができるという効果を発揮するものである。
【００３７】
なお、上述した実施の形態においては、本発明のヘルメットをオートバイ用ヘルメットへ実施した場合の一例について説明したが、これに限定されるものではなく、本発明を帽子やコートのフードなどへ実施した場合においても、同様の作用および効果を得ることができる。
【００３８】
また、上述した実施の形態においては、情報信号を出力する電子機器６と、その情報信号を増幅する増幅器３とを個別に構成した場合の一例について説明したが、これに限定されるものではなく、電子機器６と増幅器３を一体に構成した場合においても、同様の作用および効果を得ることができる。この場合、電池収容室８へ装填された電池９は、一体に構成された電子機器６と増幅器３が電子機器収容室５へ装填され時に、その電子機器６と増幅器３の外部電源としての働きをするように構成することができる。
【００３９】
また、本発明のヘルメットに無線通話機能を持たせる場合は、電子機器６として、例えば、トランシーバを用いるとともに、ヘルメット本体１へマイクロホンおよびアンテナを装着することによって、作業現場用ヘルメット、あるいはオートバイに乗車してツーリングを行なう場合の仲間同士の連絡通信手段用として使用することができる。
【図面の簡単な説明】
【００４０】
【図１】本発明に係るヘルメットの一実施例を示す斜視図である。
【図２】図２は、図１に示すヘルメットの背面側の要部を部分的に断面した斜視図である。
【符号の説明】
【００４１】
１    ヘルメット本体
２    収容部
２１  一側面
３    増幅器
４    スピーカ
５    電子機器収容室
５１  開口部
５２  内壁面
５３  凹溝部
５４  底面
６    電子機器
６１  外装面
６２  凸状部
６３  情報信号出力端子
７    ピンプラグ
８    電池収容室
８１  開口部
８２  底部
９    電池
９１  端子
９２  端子
１０  蓋体
１１  ゴムパッキン
【図１】
2007254926.tif 000003
【図２】
2007254926.tif 000004